(57)【要約】【課題】  押さえばねによりＧＲＴホルダを安定且つ確実に押さえること。【解決手段】  光ピックアップの半径方向にスライド可能なスライドベース１のＬＤ受座１０の中央に投射孔１１を中心にして凹部１２が形成され、該凹部１２の奥端面１２ａに投射孔１１を中心にして円形状ＧＲＴ嵌入孔１３が形成され、凹部１２の両側面に一対のストッパ１５が一体突設され、押さえばね１６がロ字状本体１６ａを有し、該ロ字状本体１６ａがその中央の山折れ線Ｓを基準にして略く字状に折り曲げられ、凹部１２の開口部１２Ａ内における押さえばね１６の可動範囲を狭める一対の突起部２０が各ストッパ１５に対向して凹部１２の奥端面１２ａに一体突設されており、押さえばね１６を開口部１２Ａから凹部１２内に差し込み、該押さえばね１６を弾性変位させて山折れ線ＳをＧＲＴ嵌入孔１３内のＧＲＴホルダ９の端面９ｂに弾性的に押し付ける。【選択図】        図１
2011096301.tif 000002
【特許請求の範囲】
【請求項１】
光ピックアップの半径方向にスライド可能なスライドベースのＬＤ受座の中央に投射孔
が形成され、該投射孔を中心にしてＬＤ受座の中央部に凹部が形成され、該凹部の奥端面
に投射孔を中心にして円形状ＧＲＴ嵌入孔が形成され、前記凹部の両側面に一対のストッ
パが一体突設され、該両ストッパと凹部の奥端面との間に押さえばねを挿通するための開
口部が形成され、前記押さえばねが、中央に貫通孔が貫設されたロ字状本体を有し、該ロ
字状本体がその中央の山折れ線を基準にして略く字状に折り曲げられており、前記ＧＲＴ
嵌入孔にＧＲＴホルダを嵌入させ、押さえばねを開口部から凹部内に差し込み、該押さえ
ばねを弾性変位させて山折れ線をＧＲＴホルダの端面に弾性的に押し付け、ＬＤ受座に固
定したレーザダイオードからレーザ光をＧＲＴホルダ９に保持された回折格子を通って光
ディスクに投射し、その反射光に基づいて光ディスクに記録されている情報を読み取るよ
うにした光ピックアップにおいて、前記凹部の開口部内における押さえばねの可動範囲を
狭める可動範囲規制部を有していることを特徴する光ピックアップ。
【請求項２】
前記可動範囲規制部が、前記凹部の奥端面に一体突設されて各ストッパに接近する突起
部からなることを特徴とする請求項１に記載の光ピックアップ。
【請求項３】
前記可動範囲規制部が、前記押さえばねから折り曲げられて凹部の奥端面に接近する折
り曲げ片からなることを特徴とする請求項１に記載の光ピックアップ。
【請求項４】
前記凹部の底面に位置決め孔が貫設され、前記凹部の奥端面に対向する各ストッパの裏
面と位置決め孔の裏面とが面一状に形成され、前記位置決め孔に挿入される挿入板が押さ
えばねに一体突設され、該挿入板に抜止孔が貫設され、該抜止孔に嵌合可能な抜止突起が
位置決め孔の裏面に一体突設されていることを特徴とする請求項２または３に記載の光ピ
ックアップ。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置の光ピックアップに関し、特に、押さえばねによりＧＲＴホルダを安定且つ確
実に押さえることができるようにしたものである。
【背景技術】
【０００２】
光ピックアップの一例として図７の概略図に示すものがあり、これはＢｌｕ−ｒａｙ
Ｄｉｓｃ式のレコーダ（またはプレーヤ）用であって、スライドベース１の光ディスク対
向面に突設した係合部１ａをガイドレール２にスライド可能に係合させることにより、該
スライドベース１が光ディスク（図示せず）の半径方向に沿って往復移動可能に形成され
、そのスライドベース１にＢＤ光学系３とＤＶＤ−ＣＤ光学系４とが設けられており、そ
のＢＤ光学系３は、ＢＤ用レーザダイオードＢＤ・ＬＤ、回折格子ＧＲＴ、偏光ビームス
プリッターＰＢＳ、球面収差補正機構５により往復移動されるコリメータレンズＣＬ及び
読取用受光素子ＰＤ１などを有し、ＤＶＤ−ＣＤ光学系４は、ＤＶＤ−ＣＤ用レーザダイ
オードＤＶＤ−ＣＤ・ＬＤ、ハーフミラーＨＭ及び読取用受光素子ＰＤ２などを有し、ア
クチュエータ６により駆動される対物レンズＯＬが設けられ、スライドベース１の光ディ
スク対向面にプリント配線基板からなる制御基板７が係止され、該制御基板７にフレキシ
ブルフラットケーブル（図示せず）を介して各レーザダイオードＤＶＤ−ＣＤ・ＬＤ，Ｂ
Ｄ・ＬＤ及び各読取用受光素子ＰＤ１，ＰＤ２が接続されている。
【０００３】
ＢＤ光学系３の読取手順を説明すると、ＢＤ用レーザダイオードＢＤ・ＬＤからレーザ
光ａ１を回折格子ＧＲＴ、偏光ビームスプリッターＰＢＳ、コリメータレンズＣＬ及び対
物レンズＯＬを通って高速回転しているＢＤ型光ディスクに投射し、その反射光ｂ１を読
取用受光素子ＰＤ１で受光し、ＢＤ型光ディスクに記録されている情報を読みとる。
【０００４】
ＤＶＤ−ＣＤ光学系４の読取手順を説明すると、ＤＶＤ−ＣＤ用レーザダイオードＤＶ
Ｄ−ＣＤ・ＬＤからレーザ光ａ２をハーフミラーＨＭ及び対物レンズＯＬを通って高速回
転しているＤＶＤ−ＣＤ型光ディスクに投射し、その反射光ｂ２を読取用受光素子ＰＤ２
で受光し、ＤＶＤ−ＣＤ型光ディスクに記録されている情報を読みとる。
【０００５】
従来、光ピックアップの一例として図８〜図１０に示すものがあり、図８は同要部の分
解斜視図、図９（ａ）は同要部の一部切欠き平面図、図９（ｂ）は同要部の正面図、図９
（ｃ）は同要部の縦断面図、図１０は同要部の効果を示す縦断面図である。
【０００６】
図８及び図９に示すように、回折格子ＧＲＴが円盤状ＧＲＴホルダ９内に配置され、該
ＧＲＴホルダ９の外周面に操作用凹部９ａが形成されている。
【０００７】
図８及び図９に示すように、スライドベース１の後端面にＢＤ用レーザダイオードＢＤ
・ＬＤを位置決め固定するためのＬＤ受座１０が形成され、該ＬＤ受座１０の中央部にレ
ーザ光ａ１を投射するための投射孔１１が形成され、該投射孔１１を中心にしてＬＤ受座
１０の中央部に矩形状凹部１２が形成され、該凹部１２の奥端面１２ａに投射孔１１を中
心にしてＧＲＴホルダ９を嵌入させるための円形状ＧＲＴ嵌入孔１３が形成され、該ＧＲ
Ｔ嵌入孔１３の頂部を貫通して操作溝１４が形成されている。
【０００８】
前記凹部１２の両内側面に左右一対のストッパ１５が一体突設され、該両ストッパ１５
と凹部１２の奥端面１２ａとの間に押さえばね１６を挿通するための開口部１２Ａが形成
され、凹部１２の底面に細溝１７が形成され、凹部１２の奥端面１２ａに対向する各スト
ッパ１５の裏面１５ａと細溝１７の裏面１７ａとが面一状に形成されている。
【０００９】
前記押さえばね１６は、厚さｔが例えば０．１ｍｍの弾性変位可能な金属製板ばねから
なり、中央に貫通孔１８を貫設したロ字状本体１６ａを有し、該ロ字状本体１６ａは、そ
の中央の山折れ線Ｓを基準にして略く字状に折り曲げられている。
【００１０】
前記ロ字状本体１６ａの両端から上下方向に沿って折れ曲がる一対の端板１６ｂ，１６
ｃが一体形成され、その一方の端板１６ｂが細溝１７に挿入可能に形成されると共に、そ
の他方の端板１６ｃの両端部が両ストッパ１５に対向してロ字状本体１６ａより左右に突
出され、他方の端板１６ｃの端縁に一体突設した横板１６ｄが山折れ線Ｓのとは逆方向に
直角に折り曲げられている。
【００１１】
回折格子ＧＲＴの位置決め固定手順を説明すると、ＧＲＴホルダ９をＧＲＴ嵌入孔１３
に嵌入させ、該ＧＲＴホルダ９の操作用凹部９ａを操作溝１４に対向させ、押さえばね１
６を開口部１２Ａから凹部１２内に差し込み、該押さえばね１６の一方の端板１６ｂを細
溝１７に挿入して該細溝１７の裏面１７ａに当接させると共に、他方の端板１６ｃを各ス
トッパ１５の裏面１５ａに当接させ、押さえばね１６の山折れ線ＳをＧＲＴホルダ９の端
面９ｂの中央に対向させる。
【００１２】
ここで、押さえばね１６の両端板１６ｂ，１６ｃから山折れ線Ｓまでの折り曲げ幅ｈ１
が凹部１２の開口部１２Ａの隙間幅ｈ２よりも若干大きく設定されており（ｈ１＞ｈ２）
、その押さえばね１６を弾性変位させて山折れ線ＳをＧＲＴホルダ９の端面９ｂの中央に
弾性的に押し付け、そのＧＲＴホルダ９が不測に回転されないようにする。
【００１３】
続いて、操作溝１４からＧＲＴホルダ９の操作用凹部９ａに挿入した操作軸（図示せず
）を操作し、該ＧＲＴホルダ９をその軸心回りで正逆回転させることにより、回折格子Ｇ
ＲＴを通るレーザ光ａ１が所望通りに分散されるように微調整する。
【００１４】
その後、接着剤充填器（図示せず）により操作溝１４からＧＲＴホルダ９の操作用凹部
９ａに紫外線硬化性接着剤を充填し、紫外線を照射して、その紫外線硬化性接着剤を硬化
させることにより、ＧＲＴホルダ９をスライドベース１に固定する。なお、関連する技術
として特許文献１に記載したものがある。
【先行技術文献】
【特許文献】
【００１５】
【特許文献１】特開２００７−２４２２０３号公報
【発明の概要】
【発明が解決しようとする課題】
【００１６】
上記従来の構成では、図９（ｃ）の拡大図に示すように、凹部１２の開口部２Ａの隙間
幅ｈ２が押さえばね１６の厚さｔに比べて格段に大きく、開口部１２Ａ内における押さえ
ばね１６の可動範囲Ｋが比較的大きいため、その押さえばね１６が開口部１２Ａから凹部
１２内に差し込まれる際に強く押されて変形されることがあり（同拡大図仮想線参照）、
それによって、押さえばね１６の折り曲げ幅ｈ１が小さくなって、図１０に示すように、
押さえばね１６の山折れ線ＳがＧＲＴホルダ９の端面９ｂから離間されて隙間αが生じた
り、その離間が生じなくても押さえばね１６による押圧力が小さくなって、その押さえば
ね１６によるＧＲＴホルダ９の押さえ方が不安定になり、該ＧＲＴホルダ９が不測に回転
されて回折格子の微調整状態が狂うおそれがある。
【００１７】
また、凹部１２に差し込んだ押さえばね１６の横板１６ｄに指部が接触するなどして、
該押さえばね１６が傾いたり凹部１２から抜ける方向に位置ずれされるおそれがあり、こ
れでは、押さえばね１６の山折れ線ＳがＧＲＴホルダ９の端面９ｂの中央に対向する位置
から外れて、そのＧＲＴホルダ９を確実に押さえることができなくなる。
【００１８】
本発明は、上記従来の欠点に鑑み、押さえばねによりＧＲＴホルダを安定且つ確実に押
さえることができるようにした光ピックアップを提供することを目的としている。
【課題を解決するための手段】
【００１９】
上記目的を達成するため、請求項１に記載の発明は、光ピックアップの半径方向にスラ
イド可能なスライドベースのＬＤ受座の中央に投射孔が形成され、該投射孔を中心にして
ＬＤ受座の中央部に凹部が形成され、該凹部の奥端面に投射孔を中心にして円形状ＧＲＴ
嵌入孔が形成され、前記凹部の両側面に一対のストッパが一体突設され、該両ストッパと
凹部の奥端面との間に押さえばねを挿通するための開口部が形成され、前記押さえばねが
、中央に貫通孔が貫設されたロ字状本体を有し、該ロ字状本体がその中央の山折れ線を基
準にして略く字状に折り曲げられており、前記ＧＲＴ嵌入孔にＧＲＴホルダを嵌入させ、
押さえばねを開口部から凹部内に差し込み、該押さえばねを弾性変位させて山折れ線をＧ
ＲＴホルダの端面に弾性的に押し付け、ＬＤ受座に固定したレーザダイオードからレーザ
光をＧＲＴホルダ９に保持された回折格子を通って光ディスクに投射し、その反射光に基
づいて光ディスクに記録されている情報を読み取るようにした光ピックアップにおいて、
前記凹部の開口部内における押さえばねの可動範囲を狭める可動範囲規制部を有している
ことを特徴している。
【００２０】
請求項２に記載の発明は、請求項１に記載の発明において、前記可動範囲規制部が、前
記凹部の奥端面に一体突設されて各ストッパに接近する突起部からなることを特徴として
いる。
【００２１】
請求項３に記載の発明は、請求項１に記載の発明において、前記可動範囲規制部が、前
記押さえばねから折り曲げられて凹部の奥端面に接近する折り曲げ片からなることを特徴
としている。
【００２２】
請求項４に記載の発明は、請求項２または３に記載の発明において、前記凹部の底面に
位置決め孔が貫設され、前記凹部の奥端面に対向する各ストッパの裏面と位置決め孔の裏
面とが面一状に形成され、前記位置決め孔に挿入される挿入板が押さえばねに一体突設さ
れ、該挿入板に抜止孔が貫設され、該抜止孔に嵌合可能な抜止突起が位置決め孔の裏面に
一体突設されていることを特徴としている。
【発明の効果】
【００２３】
請求項１に記載の発明によれば、押さえばねを開口部から凹部内に差し込む際に、可動
範囲規制部で押さえばねの可動範囲を小さくしてその押さえばねが変形されるのを規制し
ているので、従来のように押さえばねが強く押されてその折り曲げ幅が小さくなる難点が
解消され、押さえばねの山折れ線によりＧＲＴホルダの端面を安定的に押さえることがで
き、これによって、ＧＲＴホルダが不測に回転するのを阻止して、回折格子の微調整状態
を確実に維持することができる。
【００２４】
請求項２に記載の発明によれば、突起部がスライドベースに一体形成されているから、
部品点数が増加せず、経済的である。
【００２５】
請求項３に記載の発明によれば、折り曲げ片が押さえばねに一体形成されているから、
部品点数が増加せず、経済的である。
【００２６】
請求項４に記載の発明によれば、押さえばねを開口部から凹部内に差し込むことにより
、挿入板が位置決め孔に挿入されて、該挿入板の抜止孔が抜止突起に嵌合され、その押さ
えばねが凹部内の所定位置に係止されるので、従来のように凹部に差し込んだ押さえばね
に指部が接触するなどして、該押さえばねが傾いたり凹部から抜け出る方向に位置ずれさ
れることがなく、その押さえばねの山折れ線をＧＲＴホルダの端面中央に正確に当接させ
て、該ＧＲＴホルダを確実に押さえることができる。
【図面の簡単な説明】
【００２７】
【図１】本発明の実施の一形態である光ピックアップの要部を示す分解斜視図である。
【図２】同要部の組立状態を示す斜視図である。
【図３】（ａ）は同要部の一部切欠き平面図、（ｂ）は同要部の正面図、（ｃ）は同要部の縦断面図である。
【図４】本発明の実施の他の形態である光ピックアップの要部を示す分解斜視図である。
【図５】同要部の組立状態を示す斜視図である。
【図６】（ａ）は同要部の一部切欠き平面図、（ｂ）は同要部の正面図、（ｃ）は同要部の縦断面図である。
【図７】光ピックアップの一例を示す概略図である。
【図８】従来例を示す要部の分解斜視図である。
【図９】（ａ）は同要部の一部切欠き平面図、（ｂ）は同要部の正面図、（ｃ）は同要部の縦断面図である。
【図１０】同要部の効果を示す縦断面図である。
【発明を実施するための形態】
【００２８】
図１〜図３は本発明の実施の一形態である光ピックアップの要部を示すものであり、こ
れはＢｌｕ−ｒａｙ  Ｄｉｓｃ式のレコーダ（またはプレーヤ）用であって、凹部１２の
開口部１２Ａ内における押さえばね１６の可動範囲Ｋを狭める一対の突起部（可動範囲規
制部）２０が各ストッパ１５に対向して凹部１２の奥端面１２ａに一体突設されており、
該各突起部２０と各ストッパ１５との間に押さえばね１６の厚さｔよりもわずかに大きな
隙間βが形成されている。
【００２９】
図１〜図３に示すように、凹部１２の底面に位置決め孔２１が貫設され、凹部１２の奥
端面１２ａに対向する各ストッパ１５の裏面１５ａと位置決め孔２１の裏面２１ａとが面
一状に形成され、位置決め孔２１に挿入される挿入板１６ｅが押さえばね１６の一方の端
板１６ｂに一体突設され、該挿入板１６ｅに抜止孔２３が貫設され、該抜止孔２３に嵌合
可能な抜止突起２２が位置決め孔２１の裏面２１ａに一体突設されている。上記以外の構
成は図７〜図１０に示す構成とほぼ同じであるから、同一部分に同一符号を付してその説
明を省略する。
【００３０】
回折格子ＧＲＴの位置決め固定手順を説明すると、ＧＲＴホルダ９をＧＲＴ嵌入孔１３
に嵌入させ、該ＧＲＴホルダ９の操作用凹部９ａを操作溝１４に対向させ、押さえばね１
６を開口部１２Ａの各ストッパ１５と各突起部２０との間の隙間βから凹部１２内に差し
込み、該押さえばね１６の挿入板１６ｅを位置決め孔２１に挿入し、該挿入板１６ｅの抜
止孔２３を抜止突起２２に嵌合させ、その挿入板１６ｅを位置決め孔２１の裏面２１ａに
当接させると共に、他方の端板１６ｃを各ストッパ１５の裏面１５ａに当接させ、押さえ
ばね１６の山折れ線ＳをＧＲＴホルダ９の端面９ｂの中央に弾性的に押し付け、そのＧＲ
Ｔホルダ９が不測に回転されないようにする（図２参照）。以後の操作は従来とほぼ同じ
であるから、その説明を省略する。
【００３１】
上記構成によれば、押さえばね１６の開口部１２Ａから凹部１２内に差し込むことによ
り、挿入板１６ｅが位置決め孔２１に挿入されて、該挿入板１６ｅの抜止孔２３が抜止突
起２２に嵌合され、その押さえばね１６が凹部１２内の所定位置に係止されるので、従来
のように凹部１２に差し込んだ押さえばね１６の横板１６ｄに指部が接触するなどして、
該押さえばね１６が傾いたり凹部１２から抜け出る方向に位置ずれされることがなく、そ
の押さえばね１６の山折れ線ＳをＧＲＴホルダ９の端面９ｂの中央に正確に当接させて、
該ＧＲＴホルダ９を確実に押さえることができる。
【００３２】
また、押さえばね１６を開口部１２Ａから凹部１２内に差し込む際に、両突起部２０で
押さえばね１６の可動範囲Ｋを小さくしてその押さえばね１６が変形されるのを規制して
いるので、従来のように押さえばね１６が強く押されてその折り曲げ幅ｈ１が小さくなる
ことがなく、該押さえばね１６の山折れ線ＳによりＧＲＴホルダ９の端面９ｂを安定的に
押さえることができ、これによって、ＧＲＴホルダ９が不測に回転するのを阻止して、回
折格子ＧＲＴの微調整状態を確実に維持することができる。
【００３３】
更に、突起部２０がスライドベース１に一体形成されているから、部品点数が増加せず
、経済的である。
【００３４】
図４〜図６は本発明の実施の他の形態である光ピックアップの要部を示すものであり、
これはＢｌｕ−ｒａｙ  Ｄｉｓｃ式のレコーダ（またはプレーヤ）用であって、凹部１２
の開口部１２Ａ内における押さえばね１６の可動範囲Ｋを狭める一対の折り曲げ片（可動
範囲規制部）２５が該押さえばね１６の一方の端板１６ｂの両端に一体形成され、該各折
り曲げ片２５は山折れ線Ｓの突出方向と同方向に直角に折り曲げられて凹部１２の奥端面
１２ａに向けて突出され、その各折り曲げ片２５の突出幅Ｍが開口部１２Ａの隙間幅ｈ２
よりも若干小さく設定されている。上記以外の構成は図１〜図３に示す本発明の実施の一
形態とほぼ同じであるから、同一部分に同一符号を付してその説明を省略する。
【００３５】
回折格子ＧＲＴの位置決め固定手順を説明すると、ＧＲＴホルダ９をＧＲＴ嵌入孔１３
に嵌入させ、該ＧＲＴホルダ９の操作用凹部９ａを操作溝１４に対向させ、押さえばね１
６を開口部１２Ａから凹部１２内に差し込み、各折り曲げ片２５の先端を凹部１２の奥端
面１２ａに接近させる。以後の操作は図１〜図３に示す本発明の実施の一形態とほぼ同じ
であるから、その説明を省略する。
【００３６】
上記構成によれば、図１〜図３に示す本発明の実施の一形態とほぼ同じ効果を得ること
ができ、特に、押さえばね１６を開口部１２Ａから凹部１２内に差し込む際に、両折り曲
げ片２５で押さえばね１６の可動範囲Ｋを小さくしてその押さえばね１６が変形されるの
を規制しているので、従来のように押さえばね１６が強く押されてその折り曲げ幅ｈ１が
小さくなることがなく、該押さえばね１６の山折れ線ＳによりＧＲＴホルダ９の端面９ｂ
を安定的に押さえることができ、これによって、ＧＲＴホルダ９が不測に回転するのを阻
止して、回折格子ＧＲＴの微調整状態を確実に維持することができる。
【００３７】
また、折り曲げ片２５が押さえばね１６に一体形成されているから、部品点数が増加せ
ず、経済的である。
【符号の説明】
【００３８】
１          スライドベース
９          ＧＲＴホルダ
９ｂ        ＧＲＴホルダの端面
１０        ＬＤ受座
１１        投射孔
１２        凹部
１２ａ      凹部の奥端面
１３        ＧＲＴ嵌入孔
１５        ストッパ
１５ａ      ストッパの裏面
１６        押さえばね
１６ａ      押さえばねのロ字状本体
１６ｅ      押さえばねの挿入板
１８        ロ字状本体の貫通孔
２０        突起部（可動範囲規制部）
２１        位置決め孔
２１ａ      位置決め孔の裏面
２２        抜止突起
２３        抜止孔
２５        折り曲げ片（可動範囲規制部）
ＢＤ・ＬＤ  ＢＤ用レーザダイオード
ＧＲＴ      回折格子
Ｓ          山折れ線
Ｋ          可動範囲
【図１】
2011096301.tif 000003
【図２】
2011096301.tif 000004
【図３】
2011096301.tif 000005
【図４】
2011096301.tif 000006
【図５】
2011096301.tif 000007
【図６】
2011096301.tif 000008
【図７】
2011096301.tif 000009
【図８】
2011096301.tif 000010
【図９】
2011096301.tif 000011
【図１０】
2011096301.tif 000012